(57)【要約】【課題】共通の接眼手段を介して観察しながら光学ファインダーと電子ビューファインダーとを重畳して表示したり、切り換えたりすることができる撮像装置を提供する。【解決手段】  撮像素子１０と、撮像素子１０を介さずに光学的に被写体像を観察可能に表示する光学ファインダー（３，４，５）と、撮像素子１０を介して得た画像データとグラフィック表示との少なくとも一方または、両方を観察可能に表示する電子ビューファインダー（１１，１２，１３，５）と、光学ファインダーと電子ビューファインダーとに共通して用いられる接眼手段（６，７，８）とを備え、接眼手段（６，７，８）を介して観察可能なファインダー内において、光学ファインダーの表示とともに電子ビューファインダーの表示を行う。【選択図】図１
2010135894.tif 000002
【特許請求の範囲】
【請求項１】
撮像素子と、
前記撮像素子を介さずに光学的に被写体像を観察可能に表示する光学ファインダーと、
前記撮像素子を介して得た画像データとグラフィック表示との少なくとも一方、又は両方を観察可能に表示する電子ビューファインダーと、
前記光学ファインダーと前記電子ビューファインダーとに共通して用いられる接眼手段と、
を備え、
前記接眼手段を介して観察可能なファインダー内において、前記光学ファインダーの表示とともに前記電子ビューファインダーの表示を行うこと、
を特徴とする撮像装置。
【請求項２】
前記電子ビューファインダーは、表示を行う表示手段と、
前記表示手段が表示する映像光の光束を回折反射する反射型ホログラム光学素子と、
を備えること、
を特徴とする請求項１に記載の撮像装置。
【請求項３】
前記表示手段は、前記反射型ホログラム光学素子による回折反射の効率が高い波長の光を用いて表示を行うこと、
を特徴とする請求項２に記載の撮像装置。
【請求項４】
前記表示手段は、前記反射型ホログラム光学素子による回折反射の効率が高い波長の光として特定の波長のＲＧＢの光を用いて表示を行うこと、
を特徴とする請求項３に記載の撮像装置。
【請求項５】
前記光学ファインダーは、複数に分割して形成されたペンタプリズムを備え、
前記反射型ホログラム光学素子は、前記ペンタプリズムが分割された面に配置されていること、
を特徴とする請求項２から請求項４までのいずれか１項に記載の撮像装置。
【請求項６】
複数に分割して形成されたプリズムを備え、
前記反射型ホログラム光学素子は、前記プリズムが分割された面に配置されていること、
を特徴とする請求項２から請求項４までのいずれか１項に記載の撮像装置。
【請求項７】
前記ペンタプリズムが分割されている面、又は、前記プリズムが分割されている面は、前記光学ファインダーの被写体像が通過するように接合されていること、
を特徴とする請求項５又は請求項６に記載の撮像装置。
【請求項８】
拡大表示を行うときに操作される操作手段を備え、
前記光学ファインダーを使用しているときに前記操作手段が操作されると、前記光学ファインダーから前記電子ビューファインダーへと切り換えを行うとともに、前記電子ビューファインダーの表示を拡大すること、
を特徴とする請求項１から請求項７までのいずれか１項に記載の撮像装置。
【請求項９】
前記電子ビューファインダーは、被写体に応じて自動的に、又は、撮影者の指示により選択されたフォーカスポイントを前記光学ファインダーの表示に重畳して表示し、
前記操作手段が操作されると、選択された前記フォーカスポイントを中心として前記電子ビューファインダーの表示を拡大すること、
を特徴とする請求項８に記載の撮像装置。
【請求項１０】
複数のフォーカスポイントが選択されている場合に前記操作手段が操作されたときには、選択されているフォーカスポイントのうちで、当該撮像装置までの距離が最も近い被写体に重なるフォーカスポイントを最初に中心として前記電子ビューファインダーの表示を拡大すること、
を特徴とする請求項９に記載の撮像装置。
【請求項１１】
前記撮像素子により得られた被写体像から人物の顔を認識する顔認識手段を備え、
複数のフォーカスポイントが選択されている場合に前記操作手段が操作されたときには、前記顔認識手段により顔が認識された位置に対応するフォーカスポイントを優先して前記電子ビューファインダーの表示を拡大すること、
を特徴とする請求項９に記載の撮像装置。
【請求項１２】
前記撮像素子を介して得た画像データとグラフィック表示との少なくとも一方を、前記接眼手段を利用せずに観察可能に表示する外部表示手段と、
撮影者が前記接眼手段を利用して被写体像の観察を行っているか否かを検知する接眼検知手段と、
を備え、
前記操作手段が操作されたときには、前記接眼検知手段による検知結果に基づいて、前記電子ビューファインダーに拡大表示を行うか、前記外部表示手段に拡大表示を行うかを切り換えること、
を特徴とする請求項８から請求項１１までのいずれか１項に記載の撮像装置。
【発明の詳細な説明】
【技術分野】
【０００１】
本発明は、デジタル一眼レフカメラ等の撮像装置に関するものである。
【背景技術】
【０００２】
従来、スチルカメラとビデオカメラとを複合したカメラにおいて、ハーフミラーを介してそれぞれを同一ファインダーで観察できるように構成したものがあった（特許文献１）。
また、ピント板上のスプリットイメージを拡大してモニター表示したり、ライブビューで拡大表示したりしてピント合わせを行なうものがあった（特許文献２、特許文献３、特許文献４）。
【０００３】
さらに、特許文献５には、ＲＧＢの各色一体型のＬＥＤで照明された表示を反射型ホログラム光学素子で回折反射させ観察できる技術が開示されている。この特許文献５によれば、反射型ホログラム光学素子の外光の透過率が高いので、明るい外界像も同時に観察することができる。
【特許文献１】特開平０９−０４６５５９号公報
【特許文献２】特開２００２−０９０８１４号公報
【特許文献３】特開２００１−２８１７５１号公報
【特許文献４】特開２００７−２４８６１５号公報
【特許文献５】特開２００７−０１１２７９号公報
【発明の開示】
【発明が解決しようとする課題】
【０００４】
しかし、特許文献１の構成では、スチルカメラ及びビデオカメラともハーフミラーで重畳表示を行なっていることにより、非常に暗いファインダーになってしまっていた。また、スチルカメラとビデオカメラとの視差があり同一画面のスチル画像とビデオ映像とを撮影することが難しいものであった。さらに、それぞれが異なるレンズを持っていて撮影倍率も一致させることが困難であった。
【０００５】
また、特許文献２の構成では、被写体の明るさが暗くなると光学ファインダー（ＯＶＦ）を電子ビューファインダー（ＥＶＦ）に切り換えて、被写体の状態にかかわらず明るいファインダーにするようにしている。しかし、明るいときにビデオ撮影する場合にＥＶＦへ切り換ええることは開示していない。
【０００６】
さらに、特許文献３の構成では、ピント板上のスプリットイメージを拡大表示するのは、外部表示になるので、ファインダーを覗いている姿勢でのマニュアルピント操作ができないという問題があった。
【０００７】
さらにまた、特許文献４の構成では、ライブモードをＯＮにするとファインダー内表示ではなく、背面モニターでの表示になり、その表示は、全画面表示であり、場所の選択をしてから拡大表示するという煩わしさがあった。
【０００８】
また、特許文献５の構成は、ヘッドマウントディスプレイに用いる映像表示装置を開示するものであり、撮像装置のファインダーへの利用は考慮されていない。よって、特許文献５に開示された技術では、撮像装置のファインダーにそのまま利用できなかった。
【０００９】
本発明の課題は、共通の接眼手段を介して観察しながら光学ファインダーと電子ビューファインダーとを重畳して表示したり、切り換えたりすることができる撮像装置を提供することである。
【課題を解決するための手段】
【００１０】
本発明の第１の側面としての撮像装置は、撮像素子と、前記撮像素子を介さずに光学的に被写体像を観察可能に表示する光学ファインダーと、前記撮像素子を介して得た画像データとグラフィック表示との少なくとも一方、又は両方を観察可能に表示する電子ビューファインダーと、前記光学ファインダーと前記電子ビューファインダーとに共通して用いられる接眼手段とを備え、前記接眼手段を介して観察可能なファインダー内において、前記光学ファインダーの表示とともに前記電子ビューファインダーの表示を行うことを特徴とする。
【発明の効果】
【００１１】
共通の接眼手段を介して観察しながら光学ファインダーと電子ビューファインダーとを重畳して表示したり、切り換えたりすることができ、使い勝手のよいファインダーを備えた撮像装置とすることができる。
【発明を実施するための最良の形態】
【００１２】
以下、本発明を実施するための最良の形態について図面等を参照して説明する。
なお、以下に示す各図は、模式的に示した図であり、各部の大きさ、形状は、理解を容易にするために、適宜誇張して示している。
また、以下の説明では、具体的な数値、形状、動作等を示して説明を行うが、これらは、適宜変更することができる。
さらに、各図中には、各図の対応を明確にして理解を容易とするために、原点は特に規定せず、単に方向を示すための座標系として、カメラを正位置としたときの上方をＹプラス方向としてＸＹＺ直交座標を設けている。ここで、正位置とは、レンズ鏡筒１の撮影光学系の光軸（以下、単に光軸とする）が水平であり、かつ、撮影画面の長手方向が水平方向となるカメラの姿勢を示すものとする。以下、Ｙプラス方向を上、Ｚプラス方向（すなわち、光軸被写体方向）を前とする。
【００１３】
（第１実施形態）
図１は、本発明の第１実施形態による撮像装置のＯＶＦモードを示す図である。
本実施形態の撮像装置としてのカメラは、レンズ鏡筒１、カメラ本体２を備え、後述するように光学ファインダー（ＯＶＦ）と電子ビューファインダー（ＥＶＦ）とを切り換えたり、同時に利用して重畳（スーパーインポーズ）表示を行ったりできる。
【００１４】
レンズ鏡筒１は、撮影レンズ１ａ，１ｂ，１ｃからなる撮影光学系が組み込まれた交換レンズであり、カメラ本体２に対して着脱自在に設けられている。
カメラ本体２は、レンズ鏡筒１が着脱可能なデジタル一眼レフカメラである。
カメラ本体２には、メインミラー３、ピント板４、ペンタプリズム５、接眼レンズ６，７，８、シャッター９、撮像素子１０、反射ミラー１１、ＥＶＦレンズ１２、液晶表示器１３、測光センサ１４が設けられている。
【００１５】
メインミラー３は、レンズ鏡筒１によって集光された被写体光束Ａ（光束の中心線のみを図示）をファインダーの方向へ導くためのメインミラーであり、略９０度に被写体光束Ａを折り曲げる。メインミラー３は、図中右上方に設けられた支点により支持されており、図１に示す状態（ＯＶＦモード）と図２に示す状態（拡大モード、撮影状態及びＥＶＦモード）との間で回転可能である。
ピント板４は、レンズ鏡筒１のピントが結像するようになっている。このピント板４で結像した被写体光束Ａは、ペンタプリズム５へ進む。
【００１６】
ペンタプリズム５は、ダハプリズム５ａと三角プリズム５ｂとに２分割されて形成されている。
ダハプリズム５ａは、貼り合わせ面５ａｂを有し、三角プリズム５ｂは、貼り合わせ面５ｂｂを有している。
貼り合わせ面５ａｂ及び貼り合わせ面５ｂｂは、ＸＹ平面に平行な面のＹプラス側をＺプラス側へＸ軸に平行な状態を保ったまま傾けた斜面となっている。
ペンタプリズム５は、ダハプリズム５ａの貼り合わせ面５ａｂと三角プリズム５ｂの貼り合わせ面５ｂｂとを接合して形成されている。
【００１７】
ここで、ペンタプリズム５は、その貼り合わせ面５ａｂに反射型ホログラム光学素子５ｃを構成してあり、貼り合わせ面５ａｂと貼り合わせ面５ｂｂとをペンタプリズム５と同じ屈折率をもつ接着剤を用いて張り合わせてある。したがって、レンズ鏡筒１で結像される被写体光束Ａは、メインミラー３でファインダー方向へ９０度曲げられ、ピント板４で結像する。なお、反射ミラー１１、ＥＶＦレンズ１２、液晶表示器１３からなる本実施形態のＥＶＦは、ＯＶＦの表示領域（視野）よりも狭い範囲でＥＶＦ表示を行う。よって、本実施形態では、反射型ホログラム光学素子５ｃは、貼り合わせ面５ａｂの全面ではなく、中央付近の狭い領域にのみ設けている。しかし、ＯＶＦの見えとして反射型ホログラム光学素子５ｃを処理した部分に色付くことがあり、見えに違和感を生じるようなときには、この貼り合わせ面５ａｂの全面に反射型ホログラム光学素子５ｃを設けてもよいことは、言うまでもないことである。
ピント板４で拡散された被写体光束Ａは、ペンタプリズム５の入射面５ｂａからペンタプリズム５の内部へ進入して行く。貼り合わせ面５ａｂと貼り合わせ面５ｂｂとは、ペンタプリズム５と同じ屈折率をもつ接着剤で張り合わせてあるので、貼り合わせ面５ａｂと貼り合わせ面５ｂｂでは反射せずに直進する。そして、被写体光束Ａは、ダハ面５ａｄで反射して、さらに反射面５ｂｃで反射するとファインダー光束Ｃと一致して接眼レンズ６，７，８を介して観察できるようになっている。
【００１８】
接眼レンズ６，７，８は、ペンタプリズム５の後側（Ｚマイナス側）に設けられており、ピント板４に結像した被写体像を拡大して肉眼で観察できるようにする。接眼レンズ６，７，８は、ＯＶＦ及びＥＶＦに共通の接眼手段である。
これらメインミラー３、ピント板４、ペンタプリズム５、接眼レンズ６，７，８により光学的に被写体像を観察可能な光学ファインダー（ＯＶＦ）を形成している。
このＯＶＦは、高精度なレンズ鏡筒１により結像された被写体光束Ａを接眼レンズ６，７，８で拡大して観察できることより、非常に鮮明できれいな画像が得られる。
【００１９】
シャッター９は、メインミラー３と撮像素子１０との間に配置され、撮像素子１０へ到達する被写体光束Ａの通過と遮断とを制御する。
撮像素子１０は、光学像を電気信号に変換する光電変換手段である。本実施形態の撮像素子１０は、ＣＣＤ（Charge Coupled Device）イメージセンサを用いている。なお、撮像素子としては、ＣＭＯＳ（Complementary Metal Oxide Semiconductor）イメージセンサ等、他のタイプのイメージセンサでもよい。
【００２０】
反射ミラー１１は、後述の液晶表示器１３からの映像光束（以下、ＥＶＦ光束Ｂと称する）をペンタプリズム５の入射面５ａａへと反射する。
ＥＶＦレンズ１２は、後述の液晶表示器１３から反射ミラー１１へ向かうＥＶＦ光束Ｂを拡大する。
【００２１】
液晶表示器１３は、ＲＧＢの各色一体型のＬＥＤ（Light Emitting
Diode）のバックライトを持った液晶表示器であり、画像データとグラフィックの両方を表示可能である。液晶表示器１３は、ＥＶＦ表示を行なったり、ＯＶＦと重畳表示するときには、測距位置をグラフィックスにより表示を行なったりする。この液晶表示器１３からのＥＶＦ光束Ｂは、上述したように、ＥＶＦレンズ１２で拡大され、反射ミラー１１で反射されて、ペンタプリズム５の入射面５ａａからペンタプリズム５の内部へ進入していく。
ペンタプリズム５の入射面５ａａからペンタプリズム５の内部へ進入したＥＶＦ光束Ｂは、貼り合わせ面５ａｂに設けられている反射型ホログラム光学素子５ｃに到達する。
【００２２】
反射型ホログラム光学素子５ｃは、液晶表示器１３からのＥＶＦ光束Ｂを撮影者の目に虚像として導く体積位相型の反射型ホログラムである。
反射型ホログラム光学素子５ｃの回折効率がピークとなるときの波長（回折効率のピーク波長）は、液晶表示器１３のバックライトから出射されるＲＧＢ各色の光の光強度のピーク波長とほぼ一致している。
本実施形態の反射型ホログラム光学素子５ｃの回折効率のピーク波長、及び、液晶表示器１３のバックライトから出射されるＲＧＢ各色の光の光強度のピーク波長は、例えば、参考文献で示されている。それによると、Ｒが７００ｎｍ、Ｇが５４６．１ｎｍ、Ｂが４３５．８ｎｍである。
【００２３】
また、反射型ホログラム光学素子５ｃにおけるＲＧＢ各色の回折波長半値幅は、液晶表示器１３からの出射光のＲＧＢ各色（出射光の各波長）の半値幅よりも狭くする。これにより、反射型ホログラム光学素子５ｃの見えをほとんど劣化させることがなく観察でき、しかも、透過光である被写体光束Ａの明るさも、それほど悪化しないようにできる。
よって、液晶表示器１３からの出射光のうち、反射型ホログラム光学素子５ｃでの回折効率のピーク波長付近の光のみが反射型ホログラム光学素子５ｃにより反射される。
一方、反射型ホログラム光学素子５ｃは、回折効率のピーク波長付近以外の光をほとんど全て透過させる。よって、レンズ鏡筒１を通過して到達した被写体光束Ａは、そのまま接眼レンズ６，７，８へ進みファインダー光束Ｃへ導かれる。
よって、反射型ホログラム光学素子５ｃは、被写体光束Ａをそのまま通過させるとともに、液晶表示器１３からのＥＶＦ光束Ｂの３原色に対応した波長のＥＶＦ光束Ｂをそれぞれ回折させて撮影者の瞳に導く。
図１の状態であれば、カメラが撮影待機状態であるので、被写体光束Ａもファインダー光束Ｃへ導かれる。よって、撮影者は、被写体光束Ａからの映像と液晶表示器１３からの情報表示とを重畳して観察できる。
【００２４】
測光センサ１４は、ピント板４に結像した被写体像からの光を受光して測光を行う。本実施形態の測光センサ１４は、従来の多分割測光よりもより細かく被写界の情報を取得するために、ＣＣＤイメージセンサ又はＣＭＯＳイメージセンサを用いており、被写体像の輝度を検出するとともに、色情報も取得する。測光センサ１４が取得した情報は、露出決定に用いる他、撮影範囲内から人物の顔を認識する顔認識にも用いられる。そのため、本実施形態の測光センサ１４は、従来のものと比較して画素数が多くなっており、顔認識を行うために十分な情報量を有した画像を取得できる。
【００２５】
図２は、本発明の第１実施形態による撮像装置の拡大モードを示す図である。
先に示した図１が撮影待機状態であることに対して図２は、拡大ボタン１５（図３参照）を押して拡大モードになった状態を示した図である。なお、図２の状態は、拡大モードの他、撮影状態及びＥＶＦモードにおいても同様な状態となる。
図２の状態は、拡大モードでは、メインミラー３がアップ状態となり、シャッター９も開放状態になっているために、レンズ鏡筒１で結像する被写体光束Ａが、撮像素子１０へ入射する。すると不図示の処理回路により撮像素子１０で撮像された被写体像を、液晶表示器１３に拡大表示する。
【００２６】
液晶表示器１３のＥＶＦ光束Ｂは、上述のようにＥＶＦレンズ１２を通り、反射ミラー１１で反射され、ペンタプリズム５の入射面５ａａからペンタプリズム５の内部に入射する。そして、貼り合わせ面５ａｂに設置されている反射型ホログラム光学素子５ｃで特定波長幅のＲＧＢ光束をファインダー接眼光束Ｃの方向へ反射させる。図２の状態では、この特定波長幅のＲＧＢ光束のみが、ファインダー接眼光束Ｃの方向へ反射され、被写体光束Ａはメインミラー３がアップしているために遮断される。よって、重畳されていない鮮明なＥＶＦ画像をファインダーで観察することが可能である。
【００２７】
図３は、第１実施形態のカメラの外観図である。
拡大ボタン１５は、拡大モードに移行するときに操作される操作手段である。
拡大モードでは、後述するレリーズボタン２２の第１ストロークで測距を開始した後、図２のようにメインミラー３をアップさせシャッター９を開放にしてカメラをライブビューモードにする。そして、選択されているフォーカスポイントを中心として拡大表示を行う。
図４は、拡大モードの表示例を示す図である。
本実施形態では、測光センサ１４により得られた情報から人物の顔を検出して認識する顔認識部（不図示）を有している。また、本実施形態では、顔認識部が認識した顔に対応する位置をフォーカスポイントとして自動的に選択する顔認識ＡＦが行われる。
【００２８】
本実施形態では、例えば、図４（ａ）のような被写体に対して顔認識した部分に対して測距を行う。なお、本実施形態では、測距自体は、従来から用いられているＡＦセンサ（不図示）を用いた位相差検出方式により行う。そして、液晶表示器１３は、顔認識した部分に対応する位置に、図４（ｂ）の情報表示２０１及び２０２のようなフォーカスポイントの表示を行う。液晶表示器１３に表示されたＥＶＦの情報表示２０１，２０２は、反射型ホログラム光学素子５ｃにより反射されてＯＶＦと重畳表示される（図４（ｃ））。
上述したように、ＯＶＦ時のファインダー内情報表示としてＥＶＦ表示を行なう光学波長を、反射型ホログラム光学素子５ｃにより回折反射する特定波長のＲＧＢの光としている。これにより、重畳表示が、フルカラー表示できるようになる。よって、視認性の向上を行える。また、合焦状態のフォーカスポイントを緑色で表示し、非合焦状態のフォーカスポイントを赤色で表示したてもよい。さらに、バッテリー残量表示をＯＫのときは青で表示して、バッテリー残量が無くなりそうなときには、赤色にしたりすることもできる。このように、重畳表示が、フルカラー表示できることにより、情報量の豊富な表示が可能である。
【００２９】
液晶表示器１３に表示されたＥＶＦの情報表示２０１，２０２がＯＶＦとともに使用されて重畳表示されているときに拡大ボタン１５が操作されると、メインミラー３をアップしてＯＶＦの利用を中止し、ＥＶＦによる表示に切り換える。そして、ＥＶＦの情報表示２０１及び２０２のように表示された部分を、例えば顔認識されたところ（情報表示２０１の部分）から順番に拡大表示する。
【００３０】
ここで、図４に示す例のように、複数のフォーカスポイントが選択されているときには、カメラまでの距離が最も近い被写体に重なるフォーカスポイントを優先して、これを最初に中心として拡大表示を行う。その後、一定の表示時間の経過を待って、又は、後述のメインダイアル１６が操作されることにより、次の情報表示２０２を拡大表示する。なお、本実施形態では、顔認識された領域についての位相差検出の結果に基づいて被写体までの距離を算出するが、顔認識された領域の大きさが大きいフォーカスポイントがより近い位置にある被写体であるとしてもよい。
【００３１】
図３に戻って、メインダイアル１６は、拡大モードで情報表示２０１が拡大表示されている状態で回転操作されると、次の情報表示２０２を中心として拡大表示が行われる。このメインダイアル１６は、正回転で次の候補を選択したり、逆回転で前の候補を選択したりできる。なお、本実施形態では、正回転とは時計回り回転のことを指すが、逆方向を正回転としてもよい。また、メインダイアル１６は、一定の回転角度毎に停止するように、いわゆるクリック機構が設けられている。
【００３２】
セットボタン１７は、拡大モードによりマニュアルピント調整をした場合に押し込むと、ピント位置を調整値にセットして、拡大モードを解除して通常撮影モードとして図１の撮影待機状態にセットするボタンである。
外部表示器１８は、接眼検知器１９の下にＥＶＦとは別に設けられた表示器である。撮影者がファインダーを覗き込んでいないときには、この外部表示器１８を駆動して表示を行い、ライブビュー等の表示を観察できる。
【００３３】
接眼検知器１９は、接眼レンズ８のすぐ下に設置されており、撮影者がファインダーを覗き込んでいるかどうかを検知する。接眼検知器１９としては、例えば、フォトリフレクター等のセンサを利用するとよい。
ファインダーを覗いているという検知結果が接眼検知器１９により得られているときに拡大ボタン１５が押されると、図２の状態のように、ファインダー内にＥＶＦ表示を拡大モードで表示する。しかし、ファインダーを撮影者が覗いていないという接眼検知器１９の検知結果であると、メインミラー３及びシャッター９は図２の状態になるが、ＥＶＦは駆動せず、ライブビューを外部表示器１８に表示して拡大モードとするようになっている。
【００３４】
メインスイッチ２０は、カメラの電源をＯＮ／ＯＦＦするときに操作される。
モードダイアル２１は、カメラの撮影モードを切り替えるときにセットするつまみである。
レリーズボタン２２は、押し込む量によって２段階のスイッチとして作用し、第１ストローク、第２ストロークを使って写真を撮影することに使うレリーズ操作手段である。レリーズボタン２２は、第１ストロークで第１のスイッチ（ＳＷ１）が作動し、これを受けて自動焦点調節制御（ＡＦ）及び自動露出制御（ＡＥ）が行われる。また、レリーズボタン２２は、第２ストロークで第２のスイッチ（ＳＷ２）が作動し、これを受けて撮影が実行される。
【００３５】
図５は、本実施形態のカメラの拡大モードの動作を示すフローチャートである。
なお、図５に示す動作中であっても、レリーズボタン２２のＳＷ２がＯＮしたときには、このフローチャートに示す動作を中止して撮影動作に移行する。
まず、ステップ（以下、Ｓ）１０１からスタートして、Ｓ１０２では、レリーズボタン２２の第１ストローク（ＳＷ１）をＯＮしたかどうかの判定を行ない、ＯＮすると、次のＳ１０３へ進み、ＯＮしていないときには、このＳ１０２の判定を繰り返す。
【００３６】
Ｓ１０３では、被写体に対して顔認識を行なうとともに、顔認識できた場所の測距を行ない、測距データの記憶を行なう。顔認識ができない被写体の場合には、測距動作を行ない各フォーカスポイントデータの記憶を行なう。このデータ記憶は、レリーズボタン２２の再押し込みでリセットされ、新たに顔認識した場所の測距データを再記憶する。この記憶が完了すると、図４のように、ＯＶＦに対して測距した個所をＥＶＦで重畳表示することで確認ができる。この状態で、各測距されたピントが正しいのかどうかをＯＶＦファインダーで確認することは、かなり良い視力と熟練が要求される。そこで、誰でも簡単にピント確認ができるように、拡大モードが設定されている。
Ｓ１０４では、拡大ボタン１５が押されたか否かの判断を行う。拡大ボタン１５が押されてＯＮするとＳ１０５へ進み、拡大ボタン１５が押されずにＯＦＦのときには、Ｓ１０２へ戻る。
Ｓ１０５では、メインミラー３をアップさせる。
Ｓ１０６では、シャッター９を開放状態にロックする。
Ｓ１０７では、撮像素子１０による拡大ライブビューをスタートさせる。
【００３７】
Ｓ１０８では、セットボタン１７が押されているか否かを確認する。セットボタン１７が押されていなければ、Ｓ１１４へ進み、セットボタン１７が押されていれば、Ｓ１０９へ進む。
Ｓ１１４では、接眼検知器１９により、撮影者がファインダーを覗いているかどうかを検出する。Ｓ１１４の接眼検知の結果が“有”となった場合には、撮影者がファインダーを覗いているとして、Ｓ１１５へ進み、接眼検知の結果が“無”となった場合には、撮影者がファインダーを覗くことをやめたと判断して、Ｓ１１７へ進む。
【００３８】
Ｓ１１５では、外部表示器１８をＯＦＦにする。
Ｓ１１６では、液晶表示器１３を駆動してＥＶＦ表示をＯＮにする。
一方、Ｓ１１７では、外部表示器１８をＯＮにする。
Ｓ１１８では、ＥＶＦ表示をＯＦＦにする。
このように、本実施形態では、接眼検知器１９を利用して、撮影者の動向にすばやく対応できるようになっている。
【００３９】
Ｓ１１９では、メインダイアル１６が正回転してクリックが進んだかどうかをチェックする。メインダイアル１６が正回転してクリックが進んだ場合には、Ｓ１２０へ進み、そうでない場合には、Ｓ１２１へ進む。
Ｓ１２０では、次のフォーカスポイントを中心として拡大ライブビューを開始してＳ１０８へ戻る。
Ｓ１２１では、メインダイアルが逆回転してクリックが戻っているかどうかをチェックする。メインダイアル１６が逆回転してクリックが戻った場合には、Ｓ１２２へ進み、そうでない場合には、Ｓ１０８へ戻り、接眼検知及びメインダイアルのチェックを一定時間で巡回するシーケンスを繰り返す。
【００４０】
Ｓ１２２では、前のフォーカスポイントの拡大ライブビューを開始してＳ１０８へ戻る。
このＳ１０８からの循環シーケンス中に撮影者が、拡大ライブビューにより各フォーカスポイントのピントの確認を行ない、ピントが違っている場合には、マニュアル操作によりフォーカスの微調整を行える。
【００４１】
Ｓ１０８でセットボタンがＯＮになれば、Ｓ１０９に進むが、ピントの補正が行われていた場合には、ここでフォーカスポイントの補正値を記憶する。
Ｓ１１０では、メインミラー３をダウンさせる。
Ｓ１１１では、シャッター９を閉じる。
Ｓ１１２では、拡大ライブビューを終了する。
Ｓ１１３では、上述した一連のシーケンスを終了する。
【００４２】
本実施形態によれば、ＯＶＦ時のファインダー内情報表示としてＥＶＦを部分表示することによって、画面内の情報表示がどの場所でも表示できる。これは、従来では、重畳表示用の光学系を用意したり、ピント板あるいはその近傍にマイクロプリズム等で構成された反射光学系の調整などを設けたりする必要があり、非常に組立にくいものであった。しかし、本実施形態では、簡単な構成であることから、容易に組み立てを行える。
【００４３】
また、ＯＶＦ時のファインダー内情報表示としてＥＶＦ表示を行なう光学波長を、反射型ホログラム光学素子により回折反射する特定波長のＲＧＢの光とした。これにより、重畳表示が、フルカラー表示できるようになり、視認性の向上、及び、情報量の豊富な表示が可能である。しかも、重畳表示させるＥＶＦ表示は、反射型ホログラム光学素子により回折反射する特定波長のＲＧＢの光で構成されたものである。よって、反射型ホログラム光学素子を通過してくるＯＶＦ光束は、ハーフミラー方式と比べても、光量の劣化がほとんどなく、非常に明るい視野を観察できる。
【００４４】
さらに、拡大表示操作によりあらかじめ顔認識されたフォーカスポイント等を中心としてライブビュー表示で所定の拡大率でＥＶＦ表示を行う。これにより、撮影者の意図するピント位置の確認ができるとともに、マニュアルピント補正も容易に行うことができ、より失敗の少ない撮影ができる。
【００４５】
（第２実施形態）
図６は、本発明の第２実施形態による撮像装置のファインダー部分の拡大図である。
第２実施形態は、貼り合わせ面５ａｂに配置されている第１実施形態の反射型ホログラム光学素子５ｃの大きさを、貼り合わせ面５ａｂの全面に配置できる大きさの反射型ホログラム光学素子５ｄとした形態である。第２実施形態のその他の部分については、第１実施形態と同様な形態である。よって、前述した第１実施形態と同様の機能を果たす部分には、同一の符号を付して、重複する説明を適宜省略する。
【００４６】
第１実施形態の反射型ホログラム光学素子５ｃでは、特定波長幅のＲＧＢ光束が反射されることで、被写体光束Ａが若干暗くなってしまうおそれがある。そのため、第１実施形態のようにＥＶＦの範囲のみに反射型ホログラム光学素子５ｃを設けた場合には、ＯＶＦの周辺が明るく見えて違和感が発生してしまうおそれがあった。
第２実施形態では、この違和感を解消するために、反射型ホログラム光学素子５ｃを貼り合わせ面５ａｂの全面に配置した。これにより、ＯＶＦ時の視界を均一にできる。
【００４７】
（第３実施形態）
図７は、本発明の第３実施形態による撮像装置のファインダー部分の拡大図である。
第３実施形態は、第１実施形態における分割形成されているペンタプリズム５を分割されていないペンタプリズム１０１に変更した点と、プリズム１０２を追加した点が第１実施形態と異なっている。よって、前述した第１実施形態と同様の機能を果たす部分には、同一の符号を付して、重複する説明を適宜省略する。
プリズム１０２は、２つに分割して形成されており、貼り付け面１０２ｂにより接合されている。この貼り付け面１０２ｂには、第１実施形態と同様に、特定波長幅のＲＧＢ光束が反射される反射型ホログラム光学素子１０２ｅが配置されており、プリズム１０２は、この反射型ホログラム光学素子１０２ｅを挟んで接合されている。
【００４８】
液晶表示器１３から出たＥＶＦ光束Ｂは、ＥＶＦレンズ１２で拡大され反射ミラー１１で反射され、プリズム１０２の入射面１０２ｄからプリズム１０２内へ入射する。プリズム１０２内へ入射したＥＶＦ光束Ｂは、プリズム射出面１０２ｃで全反射して貼り付け面１０２ｂへ向かう。ＥＶＦ光束Ｂは、貼り付け面１０２ｂに配置されている反射型ホログラム光学素子により、ファインダー光束Ｃと同軸方向に特定波長幅のＲＧＢ光束が反射され、ＯＶＦの被写体光束Ａと重畳されて、ファインダー情報表示として観察できる。
【００４９】
（変形形態）
以上説明した実施形態に限定されることなく、種々の変形や変更が可能であって、それらも本発明の範囲内である。
（１）各実施形態において、顔認識によりＡＦのフォーカスポイントを自動的に選択し、選択されたフォーカスポイントを中心として拡大表示を行う例を挙げて説明した。これに限らず、例えば、フォーカスポイントを撮影者の指示によって選択してもよいし、マニュアルフォーカスであってもよい。
【００５０】
（２）各実施形態において、フォーカスポイントを重畳表示する例を挙げて説明したが、これに限らず、例えば、シャッター速度や絞り値、撮影感度等を重畳表示してもよいし、その他の各種情報を重畳表示してもよい。
【００５１】
なお、第１実施形態〜第３実施形態及び変形形態は、適宜組み合わせて用いることもできるが、詳細な説明は省略する。また、本発明は以上説明した各実施形態によって限定されることはない。
【図面の簡単な説明】
【００５２】
【図１】本発明の第１実施形態による撮像装置のＯＶＦモードを示す図である。
【図２】本発明の第１実施形態による撮像装置の拡大モードを示す図である。
【図３】第１実施形態のカメラの外観図である。
【図４】拡大モードの表示例を示す図である。
【図５】本実施形態のカメラの拡大モードの動作を示すフローチャートである。
【図６】本発明の第２実施形態による撮像装置のファインダー部分の拡大図である。
【図７】本発明の第３実施形態による撮像装置のファインダー部分の拡大図である。
【符号の説明】
【００５３】
１      レンズ鏡筒
１ａ、１ｂ、１ｃ  撮影レンズ
２      カメラ本体
３      メインミラー
４      ピント板
５、１０１  ペンタプリズム
５ｃ、５ｄ、１０２ｅ  反射型ホログラム光学素子
６、７、８  接眼レンズ
９      シャッター
１０    撮像素子
１１    反射ミラー
１２    ＥＶＦレンズ
１３    液晶表示器
１４    測光センサ
１５    拡大ボタン
１６    メインダイアル
１７    セットボタン
１８    外部表示器
１９    接眼検知器
２０    メインスイッチ
２１    モードダイアル
２２    レリーズボタン
１０２  プリズム
【図１】
2010135894.tif 000003
【図２】
2010135894.tif 000004
【図３】
2010135894.tif 000005
【図４】
2010135894.tif 000006
【図５】
2010135894.tif 000007
【図６】
2010135894.tif 000008
【図７】
2010135894.tif 000009